(57)【要約】【課題】映像信号入力にかかるモードの切り替えを自動的に行うことで、ユーザの利便性を向上させる。【解決手段】映像信号の複数の入力系統についての映像表示の優先度を予め決定する優先度決定テーブル１１８ｂの優先度に基づいて、各入力系統からそれぞれ入力された映像信号の切り替えを映像切替指示手段１１８ａにより指示し、映像切替指示手段１１８ａによる切り替え指示に応じて、複数の入力系統から入力された映像信号を映像切替手段１２４ａにより切り替える。これによって、映像信号入力にかかるモードの切り替えを自動的に行うことで、ユーザの利便性を向上させることができる。【選択図】図５
2012029218.tif 000002
【特許請求の範囲】
【請求項１】
複数の入力系統から映像信号の入力を受け付ける電子機器において、
前記映像信号の各入力系統についての映像表示の優先度を予め決定する優先度決定テーブルと、
前記優先度決定テーブルの前記優先度に基づいて、前記各入力系統からそれぞれ入力された前記映像信号の切り替えを指示する映像切替指示手段と、
前記映像切替指示手段による切り替え指示に応じて、前記複数の入力系統から入力された前記映像信号を切り替える映像切替手段と、
を備えることを特徴とする電子機器。
【請求項２】
前記複数の入力系統のうち一つは、パーソナルコンピュータとして機能する部分である制御部が備える映像信号処理回路からの系統であり、
前記複数の入力系統のうち他の一つは、外部入力端子を接続する信号処理部からの系統であり、
前記信号処理部と、前記優先度決定テーブルと、前記映像切替指示手段と、前記映像切替手段とは、前記制御部が起動している／いないに関わらず動作する、
ことを特徴とする請求項１記載の電子機器。
【請求項３】
前記優先度決定テーブルは、ＢＩＯＳ（Ｂａｓｉｃ  Ｉｎｐｕｔ  Ｏｕｔｐｕｔ  Ｓｙｓｔｅｍ）で設定されるものであって、前記優先度の設定について変更可能である、
ことを特徴とする請求項１または２記載の電子機器。
【請求項４】
前記優先度決定テーブルおよび前記映像切替指示手段は、各種ボタン操作に応じた信号を出力するコントローラに備えられる、
ことを特徴とする請求項１ないし３のいずれか一記載の電子機器。
【請求項５】
複数の入力系統から映像信号の入力を受け付ける電子機器における入力信号切替方法であって、
前記映像信号の各入力系統についての映像表示の優先度を予め決定する優先度決定テーブルの前記優先度に基づいて、前記各入力系統からそれぞれ入力された前記映像信号の切り替えを指示する映像切替指示工程と、
前記映像切替指示工程による切り替え指示に応じて、前記複数の入力系統から入力された前記映像信号を切り替える映像切替工程と、
を含むことを特徴とする入力信号切替方法。 
【発明の詳細な説明】
【技術分野】
【０００１】
本発明の実施形態は、電子機器および入力信号切替方法に関する。
【背景技術】
【０００２】
従来、外部入力端子を接続する信号処理部からの映像信号よりも制御部内の映像信号処理回路から出力された映像信号を優先して表示するＰＣ優先モードを有している情報機器が開示されている。
【先行技術文献】
【特許文献】
【０００３】
【特許文献１】特開２００５−３４０９５３号公報
【発明の概要】
【発明が解決しようとする課題】
【０００４】
しかしながら、上述のような情報機器によれば、外部入力端子を接続する信号処理部からの映像信号を、制御部内の映像信号処理回路から出力された映像信号よりも優先することができない、という問題がある。
【０００５】
本発明は、上記に鑑みてなされたものであって、映像信号入力にかかるモードの切り替えを自動的に行うことで、ユーザの利便性を向上させることを目的とする。
【課題を解決するための手段】
【０００６】
実施形態の電子機器は、複数の入力系統から映像信号の入力を受け付ける電子機器において、前記映像信号の各入力系統についての映像表示の優先度を予め決定する優先度決定テーブルと、前記優先度決定テーブルの前記優先度に基づいて、前記各入力系統からそれぞれ入力された前記映像信号の切り替えを指示する映像切替指示手段と、前記映像切替指示手段による切り替え指示に応じて、前記複数の入力系統から入力された前記映像信号を切り替える映像切替手段と、を備える。
【０００７】
実施形態の電子機器における入力信号切替方法は、複数の入力系統から映像信号の入力を受け付ける電子機器における入力信号切替方法であって、前記映像信号の各入力系統についての映像表示の優先度を予め決定する優先度決定テーブルの前記優先度に基づいて、前記各入力系統からそれぞれ入力された前記映像信号の切り替えを指示する映像切替指示工程と、前記映像切替指示工程による切り替え指示に応じて、前記複数の入力系統から入力された前記映像信号を切り替える映像切替工程と、を含む。
【図面の簡単な説明】
【０００８】
【図１】図１は、実施形態に係る電子機器の一例を示す外観斜視図である。
【図２】図２は、電子機器の側面図である。
【図３】図３は、電子機器の背面である。
【図４】図４は、電子機器の表示画面の一例を示す正面図である。
【図５】図５は、電子機器の制御系を示すブロック図である。
【図６】図６は、映像信号切替処理の流れを示すフローチャートである。
【発明を実施するための形態】
【０００９】
以下、図面を参照しながら実施形態について詳細に説明する。
【００１０】
ここで、図１は本実施形態にかかる放送波受信装置であるオールインワンパーソナルコンピュータ（all-in-one  personal  computer：以下、電子機器と称する）１の一例を示す外観斜視図、図２は電子機器１の側面図、図３は電子機器１の背面図である。電子機器１は、テレビジョン受像機（テレビチューナ）を内蔵したものである。電子機器１は、主要な周辺機器が付属し、パソコン本体とキーボード・マウスのほかに、ディスプレイ、サウンドカードやスピーカ、モデム（あるいはネットワークカード）などがあらかじめ内蔵され、Ｗｉｎｄｏｗｓ（登録商標）などのＯＳがプレインストールされているパソコンである。
【００１１】
図１ないし図３に示すように、電子機器１は、筐体２と、例えばＬＣＤ（Liquid  Crystal  Display）等のディスプレイ４を備えている。ディスプレイ４は、基板に実装された電子部品等で構成されたＰＣ制御部１５０（図５参照）に含まれる映像信号処理回路１２０（図５参照）から映像信号を受け取り、静止画や動画等の映像を表示する。電子機器１の筐体２は、排気孔部３ａと第１の吸気孔部３ｂとが設けられたカバー部３と、ディスプレイ４を間に挟んでカバー部３と連結され、ディスプレイ４を露出させた開口部５ａと、カバー部３に向かって延びた斜面部５ｂと、この斜面部５ｂに位置された第２の吸気孔部５ｃと放音部５ｄとが設けられたマスク部５とを有する。このような構成を有することで、筐体２の前後（ユーザ側とその反対側）の両面から空気を吸引することが可能となり、冷却効率が向上する。
【００１２】
また、斜面部５ｂは、筐体２の下方で、カバー部３に向かって拡開する方向に延びている。このような構成を有することでユーザから見た筐体２の見かけ上の大きさを、実際の大きさよりも小さく見せることが可能となる。尚、ここでは、マスク部５と斜面部５ｂとが接続されている場合を示したが、これに限らず、斜面部５ｂが別部材としてカバー部３とマスク部５とに連結される構成でも良い。
【００１３】
斜面部５ｂとカバー部３との間にはスピーカ１１７が実装されている。音声を出力するスピーカ１１７の出力部は、放音部５ｄと対向している。このような構成を有することで、スピーカ１１７の容量を確保できるとともに、スピーカ１１７からの音声の出力方向を電子機器１のディスプレイ４側、即ちユーザ側に向けることが可能となる。
【００１４】
筐体２は、支持部６に支持されている。支持部６は、カバー部３の中央部内の領域と接続した端部６ａと、机の天板等の載置面に載置される脚部６ｂと、端部６ａと脚部６ｂとをつなぐ中間部６ｃとを有する。中間部６ｃには、開口部６ｄが設けられている。開口部６ｄは、電子機器１の長手方向に沿って延びた形状を有する。開口部６ｄは、カバー部３側から電子機器１に接続される複数のケーブル６ｅと略同じ高さに位置されている。このような構成を有することで、これらのケーブルを開口部６ｄに通すことが可能となる。これにより、電子機器１を正面から見た際に背後のケーブルが目立ちにくくなる。
【００１５】
また、電子機器１は、ディスプレイ４に積層させてタッチパネル７を備えている。タッチパネル７は、相互に貼り合わせられた２枚の透明導電膜（図示せず）を有し、手指やスタイラス等で押圧された位置でそれら透明導電膜が導通することで、当該押圧された位置を検出することができる。タッチパネル７で押圧された位置を示す信号は、上述したＰＣ制御部１５０に送られ、当該ＰＣ制御部１５０で、その信号に基づく処理が実行される。なお、タッチパネル７は、抵抗膜式（感圧式）に限るものではなく、静電式やその他の方式であっても良い。
【００１６】
そして、本実施形態では、ディスプレイ４を露出させた開口部５ａに押しボタン機構３０、電子機器１の電源をパワーオン／パワーオフ操作するための電源ボタン１６が露出している。
【００１７】
本実施形態では、図１に図示した左側の押しボタン機構３０を、例えば図４に図示した画面を表示させるための操作ボタン３０Ｌとして割り当てた。図４の画面は、例えば番組表である。また、本実施の形態では、図１における右側の押しボタン機構３０を、当該電子機器１をインターネットに接続するための操作ボタン３０Ｒとして割り当てた。
【００１８】
このように本実施形態では、ディスプレイ４を露出させた開口部５ａに、押圧操作を受け付ける操作機構として押しボタン機構３０を設けた。よって、押しボタン機構が筐体に設けられた場合に比べて、押しボタン機構３０をより確実に押圧操作することができる。
【００１９】
また、本実施形態によると、電子機器１の前面側、すなわちディスプレイ４を露出させた開口部５ａに、機械的な操作ボタン３０Ｌ、３０Ｒを設けたため、機器本体側にユーザインターフェースを設けることができ、操作性を向上させることができ、利便性を向上させることができる。例えば、電子機器１に正対して左手側にある番組表の表示ボタンとして割り当てられた操作ボタン３０Ｌを押すことで、その時刻における番組表を直ぐに表示することができる。ユーザは、この番組表にある視聴を希望する番組の欄に触れることで、その番組の視聴予約や録画予約を簡単に実行することができる。
【００２０】
次に、電子機器１の制御系について図５に示すブロック図を参照して説明する。図５に示すように、電子機器１は、いわゆるパーソナルコンピュータとして機能する制御部であるＰＣ制御部１５０を備えている。ＰＣ制御部１５０は、制御主体となるＣＰＵ１００、ＲＡＭ（Random  Access  Memory）などである主メモリ１０１、チップセット１１０、ＢＩＯＳ−ＲＯＭ（Read  Only  Memory）１１３、ＨＤＤ（Hard  Disk  Drive）１１９、映像信号処理回路１２０を備えている。また、チップセット１１０には、タッチパネル７、サウンドコントローラ１１２、信号制御部として機能するＥＣ／ＫＢＣ１１８、チューナ部１２１、リモコン信号受信部１２３等が接続されている。
【００２１】
ＣＰＵ１００は、電子機器１の動作を制御するために設けられたプロセッサであり、ＨＤＤ１１９等の記憶媒体から主メモリ１０１にロードされる、オペレーティングシステム（ＯＳ）および各種アプリケーションプログラム等を実行する。アプリケーションプログラムには、ＴＶアプリケーション等が含まれている。このＴＶアプリケーションは、ＴＶ予約録画機能等を発揮する。また、ＣＰＵ１００は、ＢＩＯＳ−ＲＯＭ１１３に格納されたシステムＢＩＯＳ（Ｂａｓｉｃ  Ｉｎｐｕｔ  Ｏｕｔｐｕｔ  Ｓｙｓｔｅｍ）も実行する。システムＢＩＯＳはハードウェア制御のためのプログラムである。チップセット１１０は、Ｓｅｒｉａｌ  ＡＴＡやＵＳＢ、ＬＡＮ等のＩ／Ｏ関係のデバイス制御を行う。
【００２２】
映像信号処理回路１２０には、表示制御部１２４が接続されている。表示制御部１２４は、一つの機能として、映像信号処理回路１２０が出力したＴＭＤＳ（Ｔｒａｎｓｉｔｉｏｎ  Ｍｉｎｉｍｉｚｅｄ  Ｄｉｆｆｅｒｅｎｔｉａｌ  Ｓｉｇｎａｌｉｎｇ）をＬＶＤＳ（Ｌｏｗ  Ｖｏｌｔａｇｅ  Ｄｉｆｆｅｒｅｎｔｉａｌ  Ｓｉｇｎａｌｉｎｇ）に変換して、ディスプレイ４に出力する。
【００２３】
また、表示制御部１２４には、外部入力端子であるＨＤＭＩ（Ｈｉｇｈ−Ｄｅｆｉｎｉｔｉｏｎ  Ｍｕｌｔｉｍｅｄｉａ  Ｉｎｔｅｒｆａｃｅ）端子を接続する信号処理部であるＨＤＭＩ信号処理部１２２が接続されている。表示制御部１２４は、ＨＤＭＩ信号処理部１２２を介してゲーム機などから入力された映像信号をＬＶＤＳに変換して、ディスプレイ４に出力する。
【００２４】
システムＢＩＯＳは、映像信号処理回路１２０から出力された映像信号またはＨＤＭＩ信号処理部１２２から出力された映像信号に応じて、ディスプレイ４に対する出力画面の切り替えの優先度を決定するための優先度決定テーブルを設定する。本実施形態においては、優先度決定テーブルとして下記のいずれかの設定がなされる。
１．映像信号処理回路１２０から出力された映像信号を優先（ＰＣ優先モード）
２．ＨＤＭＩ信号処理部１２２から出力された映像信号を優先（外部入力優先モード）
３．優先度を定義しない
このような優先度決定テーブルは、ＥＣ／ＫＢＣ１１８の優先度決定テーブル１１８ｂに保持される。なお、この優先度決定テーブルの切り替え優先度は、Ｗｉｎｄｏｗｓ（登録商標）などのＯＳを介してユーザにより変更可能である。
【００２５】
また、表示制御部１２４は、ＨＤＭＩ信号処理部１２２を介してゲーム機などから入力された映像信号と、映像信号処理回路１２０が出力した映像信号であるＴＭＤＳとを切り替える映像切替手段である映像切替回路１２４ａも備えている。
【００２６】
ＥＣ／ＫＢＣ１１８は、各種ボタン操作に応じた信号を出力するコントローラであって、インターネットボタンとしての操作ボタン３０Ｒや番組表ボタンとしての操作ボタン３０Ｌ、電源ボタン１６の操作に応じた信号を出力する。また、ＥＣ／ＫＢＣ１１８は、切替スイッチ１１８ａおよび優先度決定テーブル１１８ｂを有している。切替スイッチ１１８ａは、優先度決定テーブル１１８ｂの設定に応じて表示制御部１２４の映像切替回路１２４ａに対して映像信号の切り替えを指示する映像切替指示手段として機能する。
【００２７】
サウンドコントローラ１１２は、スピーカ１１７を制御する音声コントローラである。
【００２８】
続いて、表示制御部１２４およびＥＣ／ＫＢＣ１１８が実行する特徴的な機能について、図６のフローチャートを参照しつつ説明する。表示制御部１２４は映像信号を受け取ると、受け取った映像信号をＥＣ／ＫＢＣ１１８に出力する。
【００２９】
映像信号を受け取ったＥＣ／ＫＢＣ１１８は、図６に示すように、ＨＤＭＩ信号処理部１２２を介してゲーム機などから入力された映像信号であるか、映像信号処理回路１２０が出力した映像信号であるかを判断する（ステップＳ１）。
【００３０】
映像信号処理回路１２０から出力された映像信号であると判定した場合（ステップＳ１のＹｅｓ）、ＥＣ／ＫＢＣ１１８の切替スイッチ１１８ａは、優先度決定テーブル１１８ｂを参照して、映像信号処理回路１２０から出力された映像信号が優先設定されていれば（ステップＳ２のＹｅｓ）、映像信号処理回路１２０から出力された映像信号をディスプレイ４およびサウンドコントローラ１１２に出力するように、表示制御部１２４の映像切替回路１２４ａに指示する（ステップＳ３）。
【００３１】
一方、映像信号処理回路１２０から出力された映像信号であると判定した場合であっても（ステップＳ１のＹｅｓ）、ＥＣ／ＫＢＣ１１８の切替スイッチ１１８ａは、優先度決定テーブル１１８ｂを参照して、ＨＤＭＩ信号処理部１２２から出力された映像信号が優先設定されていれば（ステップＳ２のＹｅｓ）、映像信号処理回路１２０から出力された映像信号の出力を表示制御部１２４の映像切替回路１２４ａに指示することなく、処理を終了する。
【００３２】
なお、映像信号処理回路１２０から出力された映像信号であると判定した場合（ステップＳ１のＹｅｓ）、ＥＣ／ＫＢＣ１１８の切替スイッチ１１８ａは、優先度決定テーブル１１８ｂを参照して、優先度が定義されていなければ（ステップＳ２のＮｏ、ステップＳ４のＮｏ）、映像信号処理回路１２０から出力された映像信号をディスプレイ４およびサウンドコントローラ１１２に出力する（ステップＳ５）。
【００３３】
また、ＨＤＭＩ信号処理部１２２から出力された映像信号であると判定した場合（ステップＳ１のＮｏ）、ＥＣ／ＫＢＣ１１８の切替スイッチ１１８ａは、優先度決定テーブル１１８ｂを参照して、ＨＤＭＩ信号処理部１２２から出力された映像信号が優先設定されていれば（ステップＳ６のＹｅｓ）、ＨＤＭＩ信号処理部１２２から出力された映像信号をディスプレイ４およびサウンドコントローラ１１２に出力するように、表示制御部１２４の映像切替回路１２４ａに指示する（ステップＳ７）。
【００３４】
一方、ＨＤＭＩ信号処理部１２２から出力された映像信号であると判定した場合であっても（ステップＳ１のＮｏ）、ＥＣ／ＫＢＣ１１８の切替スイッチ１１８ａは、優先度決定テーブル１１８ｂを参照して、映像信号処理回路１２０から出力された映像信号が優先設定されていれば（ステップＳ８のＹｅｓ）、ＨＤＭＩ信号処理部１２２から出力された映像信号の出力を表示制御部１２４の映像切替回路１２４ａに指示することなく、処理を終了する。
【００３５】
なお、ＨＤＭＩ信号処理部１２２から出力された映像信号であると判定した場合（ステップＳ１のＮｏ）、ＥＣ／ＫＢＣ１１８の切替スイッチ１１８ａは、優先度決定テーブル１１８ｂを参照して、優先度が定義されていなければ（ステップＳ６のＮｏ、ステップＳ８のＮｏ）、ＨＤＭＩ信号処理部１２２から出力された映像信号をディスプレイ４およびサウンドコントローラ１１２に出力するように、表示制御部１２４の映像切替回路１２４ａに指示する（ステップＳ９）。
【００３６】
したがって、本実施形態の電子機器１によれば、優先度決定テーブル１１８ｂをＰＣ優先モードに設定している場合には、外部ケーブル（ＨＤＭＩ）を接続した場合であっても、パーソナルコンピュータとして機能する部分であるＰＣ制御部１５０からの映像信号を優先することができる。一方、優先度決定テーブル１１８ｂを外部入力優先モードに設定している場合には、外部ケーブル（ＨＤＭＩ）を接続した場合には、パーソナルコンピュータとして機能する部分であるＰＣ制御部１５０からの映像信号が表示されていた場合であっても、外部ケーブル（ＨＤＭＩ）からの映像信号を優先することができる。
【００３７】
さらに、本実施形態の電子機器１によれば、表示制御部１２４およびＥＣ／ＫＢＣ１１８はＰＣ制御部１５０とは独立していることから、ＰＣ制御部１５０が起動していない状態（ＯＦＦ状態）であっても、外部ケーブル（ＨＤＭＩ）を介したＨＤＭＩ信号処理部１２２から出力された映像信号を表示することができる。
【００３８】
このように、本実施形態の電子機器１によれば、映像信号の複数の入力系統についての映像表示の優先度を予め決定する優先度決定テーブル１１８ｂの優先度に基づいて、各入力系統からそれぞれ入力された映像信号の切り替えをＥＣ／ＫＢＣ１１８の切替スイッチ１１８ａにより指示し、ＥＣ／ＫＢＣ１１８の切替スイッチ１１８ａによる切り替え指示に応じて、複数の入力系統から入力された映像信号を表示制御部１２４の映像切替回路１２４ａにより切り替えることによって、映像信号入力にかかるモードの切り替えを自動的に行うことで、ユーザの利便性を向上させることができる。
【００３９】
なお、本実施形態の電子機器１で実行されるシステムＢＩＯＳは、インストール可能な形式又は実行可能な形式のファイルでＣＤ−ＲＯＭ、フレキシブルディスク（ＦＤ）、ＣＤ−Ｒ、ＤＶＤ等のコンピュータで読み取り可能な記録媒体に記録して提供するように構成してもよい。
【００４０】
さらに、本実施形態の電子機器１で実行されるシステムＢＩＯＳを、インターネット等のネットワークに接続されたコンピュータ上に格納し、ネットワーク経由でダウンロードさせることにより提供するように構成しても良い。また、本実施形態の電子機器１で実行されるシステムＢＩＯＳをインターネット等のネットワーク経由で提供または配布するように構成しても良い。
【００４１】
以上、本発明の好適な実施形態について説明したが、本発明は上記実施形態そのままに限定されるものではなく、実施段階ではその要旨を逸脱しない範囲で構成要素を変形して具体化できる。また、上記実施形態に開示されている複数の構成要素の適宜な組み合せにより種々の発明を形成できる。例えば、実施形態に示される全構成要素から幾つかの構成要素を削除してもよい。更に、異なる実施形態に亘る構成要素を適宜組み合せてもよい。
【００４２】
例えば、上記実施形態では、本発明を、オールインワンパーソナルコンピュータとして実施した構成を例示したが、本発明は、他の電子機器、例えば、コンピュータ（ノート型、デスクトップ型）や、ＰＤＡ（Personal  Digital  Assistant）、スマートブック、スマートフォン、携帯電話端末等にも適用できる。
【符号の説明】
【００４３】
１        電子機器
１１８      コントローラ
１１８ａ    映像切替指示手段
１１８ｂ    優先度決定テーブル
１２２      信号処理部
１２４ａ    映像切替手段
１５０      制御部
【図１】
2012029218.tif 000003
【図２】
2012029218.tif 000004
【図３】
2012029218.tif 000005
【図４】
2012029218.tif 000006
【図５】
2012029218.tif 000007
【図６】
2012029218.tif 000008
【手続補正書】
【提出日】平成23年9月22日(2011.9.22)
【手続補正１】
【補正対象書類名】明細書
【補正対象項目名】０００６
【補正方法】変更
【補正の内容】
【０００６】
実施形態の電子機器は、複数の入力系統から映像信号の入力を受け付ける電子機器において、前記映像信号の各入力系統についての映像表示の優先度を予め決定する優先度決定テーブルと、前記優先度決定テーブルの前記優先度に基づいて、前記各入力系統からそれぞれ入力された前記映像信号の切り替えを指示する映像切替指示手段と、前記映像切替指示手段による切り替え指示に応じて、前記複数の入力系統から入力された前記映像信号を切り替える映像切替手段と、を備え、前記複数の入力系統のうち一つは、パーソナルコンピュータとして機能する部分である制御部が備える映像信号処理回路からの系統であり、前記複数の入力系統のうち他の一つは、外部入力端子を接続する信号処理部からの系統であり、前記優先度決定テーブルにおいて前記外部入力端子を接続する信号処理部からの系統を優先する外部入力優先モードが設定されている場合に、外部ケーブルを前記外部入力端子に接続した場合には、前記映像信号処理回路からの映像信号よりも当該外部ケーブルからの映像信号を優先する。
【手続補正２】
【補正対象書類名】明細書
【補正対象項目名】０００７
【補正方法】変更
【補正の内容】
【０００７】
実施形態の電子機器における入力信号切替方法は、複数の入力系統から映像信号の入力を受け付ける電子機器における入力信号切替方法であって、前記映像信号の各入力系統についての映像表示の優先度を予め決定する優先度決定テーブルの前記優先度に基づいて、前記各入力系統からそれぞれ入力された前記映像信号の切り替えを指示する映像切替指示工程と、前記映像切替指示工程による切り替え指示に応じて、前記複数の入力系統から入力された前記映像信号を切り替える映像切替工程と、を含み、前記複数の入力系統のうち一つは、パーソナルコンピュータとして機能する部分である制御部が備える映像信号処理回路からの系統であり、前記複数の入力系統のうち他の一つは、外部入力端子を接続する信号処理部からの系統であり、前記優先度決定テーブルにおいて前記外部入力端子を接続する信号処理部からの系統を優先する外部入力優先モードが設定されている場合に、外部ケーブルを前記外部入力端子に接続した場合には、前記映像信号処理回路からの映像信号よりも当該外部ケーブルからの映像信号を優先する。
【手続補正３】
【補正対象書類名】特許請求の範囲
【補正対象項目名】全文
【補正方法】変更
【補正の内容】
【特許請求の範囲】
【請求項１】
複数の入力系統から映像信号の入力を受け付ける電子機器において、
前記映像信号の各入力系統についての映像表示の優先度を予め決定する優先度決定テーブルと、
前記優先度決定テーブルの前記優先度に基づいて、前記各入力系統からそれぞれ入力された前記映像信号の切り替えを指示する映像切替指示手段と、
前記映像切替指示手段による切り替え指示に応じて、前記複数の入力系統から入力された前記映像信号を切り替える映像切替手段と、
を備え、
前記複数の入力系統のうち一つは、パーソナルコンピュータとして機能する部分である制御部が備える映像信号処理回路からの系統であり、
前記複数の入力系統のうち他の一つは、外部入力端子を接続する信号処理部からの系統であり、
前記優先度決定テーブルにおいて前記外部入力端子を接続する信号処理部からの系統を優先する外部入力優先モードが設定されている場合に、外部ケーブルを前記外部入力端子に接続した場合には、前記映像信号処理回路からの映像信号よりも当該外部ケーブルからの映像信号を優先する、
ことを特徴とする電子機器。
【請求項２】
前記信号処理部と、前記優先度決定テーブルと、前記映像切替指示手段と、前記映像切替手段とは、前記制御部が起動している／いないに関わらず動作する、
ことを特徴とする請求項１記載の電子機器。
【請求項３】
前記優先度決定テーブルは、ＢＩＯＳ（Ｂａｓｉｃ  Ｉｎｐｕｔ  Ｏｕｔｐｕｔ  Ｓｙｓｔｅｍ）で設定されるものであって、前記優先度の設定について変更可能である、
ことを特徴とする請求項１または２記載の電子機器。
【請求項４】
前記優先度決定テーブルおよび前記映像切替指示手段は、各種ボタン操作に応じた信号を出力するコントローラに備えられる、
ことを特徴とする請求項１ないし３のいずれか一記載の電子機器。
【請求項５】
複数の入力系統から映像信号の入力を受け付ける電子機器における入力信号切替方法であって、
前記映像信号の各入力系統についての映像表示の優先度を予め決定する優先度決定テーブルの前記優先度に基づいて、前記各入力系統からそれぞれ入力された前記映像信号の切り替えを指示する映像切替指示工程と、
前記映像切替指示工程による切り替え指示に応じて、前記複数の入力系統から入力された前記映像信号を切り替える映像切替工程と、
を含み、
前記複数の入力系統のうち一つは、パーソナルコンピュータとして機能する部分である制御部が備える映像信号処理回路からの系統であり、
前記複数の入力系統のうち他の一つは、外部入力端子を接続する信号処理部からの系統であり、
前記優先度決定テーブルにおいて前記外部入力端子を接続する信号処理部からの系統を優先する外部入力優先モードが設定されている場合に、外部ケーブルを前記外部入力端子に接続した場合には、前記映像信号処理回路からの映像信号よりも当該外部ケーブルからの映像信号を優先する、
ことを特徴とする入力信号切替方法。